(57)【要約】  本発明の実施形態において、エネルギー節約の目標を達成するために端末の電力消費を低減することによる、電気通信の技術分野に関する音声ビジネスの実装方法および端末が開示される。本発明の実施形態において音声ビジネスを実装する方法は、端末が、4GネットワークのMMEを介して2G/3Gネットワークおよび前記4Gネットワークに一緒に接続することを含み、音声ビジネスが必要ないとき、前記端末のCSトランシーバはオフまたは休止しており、音声ビジネスが必要であるとき、CSトランシーバがオフである端末では、CSフォールバック過程をトリガし、前記CSトランシーバをオンにして音声ビジネスを終える必要があり、CSトランシーバが休止している端末では、2G/3Gネットワークを通して音声ビジネスを直接実行することができる。本発明の実施形態におけるソリューションは、dual radioデュアル端末に適用可能である。
2014511079.tif 000002
【特許請求の範囲】
【請求項１】
音声サービスを実装するための方法であって、
端末が、4Gネットワークのセルに滞在するステップと、
前記端末が、2G/3Gネットワークおよび前記4Gネットワークに接続するために、組み合わせた接続のメッセージまたは組み合わせたロケーション更新のメッセージを、前記4Gネットワークのモビリティ管理エンティティMMEに送信するステップであって、前記端末のCSトランシーバがオフ状態にある、送信するステップと、
音声サービスを実装する必要があるとき、前記端末が、拡張サービス要求メッセージを前記MMEに送信するステップであって、その結果、前記MMEが、前記4Gネットワークの基地局がCSフォールバックをトリガする必要があると命令する、送信するステップと、
前記端末が、前記4Gネットワークの前記基地局によって送信された前記2G/3Gネットワークの測定についての通知を受信するステップと、
前記端末が、前記通知に従って、前記CSトランシーバをオンにするステップ、および前記2G/3Gネットワークを測定するステップと、
前記端末が、測定結果に従って前記2G/3Gネットワーク上で前記音声サービスを実装するステップと
を含む方法。
【請求項２】
前記端末が、測定結果に従って前記2G/3Gネットワーク上で前記音声サービスを実装する前記ステップが、
前記端末が、前記測定結果に従って前記2G/3Gネットワークのセルに滞在するステップ、および前記端末が、CS音声サービスを実装するステップ
を含む、請求項1に記載の音声サービスを実装するための方法。
【請求項３】
前記端末が、前記測定結果に従って前記2G/3Gネットワークのセルに滞在する前記ステップ、および前記端末が、CS音声サービスを実装する前記ステップが、
前記端末が、測定報告を前記4Gネットワークの前記基地局に送信するステップと、
前記端末が、前記4Gネットワークの前記基地局によって送信された前記2G/3Gネットワークのターゲットセルのシステム情報を受信するステップであって、前記ターゲットセルが、前記測定報告に従って前記4Gネットワークの前記基地局によって選択される、受信するステップと、
前記端末が、前記システム情報に従って前記2G/3Gネットワークの前記ターゲットセルに滞在するステップ、および前記CS音声サービスを実装するステップと
を含む、請求項2に記載の音声サービスを実装するための方法。
【請求項４】
前記端末が、測定結果に従って前記2G/3Gネットワーク上で前記音声サービスを実装する前記ステップが、
前記端末が、測定報告を前記4Gネットワークの前記基地局に送信するステップと、
前記4Gネットワークの前記基地局が、前記測定報告に従って前記2G/3Gネットワークのターゲットセルを選択するステップ、および前記4Gネットワークの前記基地局が、ハンドオーバ要請メッセージを前記4Gネットワークの前記モビリティ管理エンティティMMEに送信するステップであって、前記ハンドオーバ要請メッセージがデュアルトランシーバモードのハンドオーバを実行するための指示を保持する、送信するステップと、
前記MMEが、ハンドオーバ転送メッセージを前記2G/3GネットワークのサービングGPRSサポートノードSGSNに送信するステップであって、前記ハンドオーバ転送メッセージがデュアルトランシーバモードのハンドオーバを実行するための前記指示を保持する、送信するステップと、
前記SGSNが、ハンドオーバ要求メッセージを基地局コントローラBSCまたは無線ネットワークコントローラRNCに送信するステップであって、前記ハンドオーバ要求メッセージが、ベアラ情報を保持しない、送信するステップと、
前記BSCまたは前記RNCが、ハンドオーバ回答メッセージを前記SGSNに返送するステップと、
前記SGSNが、ハンドオーバ転送応答メッセージを前記MMEに返送するステップと、
前記MMEが、ハンドオーバ応答メッセージを前記4Gネットワークの前記基地局に送信するステップと、
前記4Gネットワークの前記基地局が、ハンドオーバ応答情報を前記端末に送信するステップと、
前記端末が、前記2G/3Gネットワークの前記ターゲットセルにアクセスするステップ、および前記端末が、CS音声サービスを実装するステップと
を含む、請求項1に記載の音声サービスを実装するための方法。
【請求項５】
前記端末が、測定結果に従って前記2G/3Gネットワーク上で前記音声サービスを実装する前記ステップが、
前記端末が、測定報告を前記4Gネットワークの前記基地局に送信するステップと、
前記4Gネットワークの前記基地局が、前記測定報告に従って前記2G/3Gネットワークのターゲットセルを選択するステップ、および前記4Gネットワークの前記基地局が、ハンドオーバ要請メッセージを前記MMEに送信するステップと、
前記MMEが、PS to CSハンドオーバメッセージを移動通信交換局MSCに送信するステップと、
前記MSCが、PS to CSハンドオーバ応答メッセージを前記MMEに返送するステップと、
前記MMEが、ハンドオーバ回答メッセージを前記4Gネットワークの前記基地局に送信するステップと、
前記4Gネットワークの前記基地局が、ハンドオーバ応答情報を前記端末に送信するステップと、
前記端末が、前記2G/3Gネットワークの前記ターゲットセルにアクセスするステップ、および前記端末が、CS音声サービスを実装するステップと
を含む、請求項1に記載の音声サービスを実装するための方法。
【請求項６】
前記2G/3Gネットワークの測定についての前記通知が、前記2G/3Gネットワークのセル情報または周波数グループ情報を含み、測定ギャップ構成を含まない、請求項1に記載の音声サービスを実装するための方法。
【請求項７】
前記端末が、前記4Gネットワークの前記基地局によって送信された前記2G/3Gネットワークの測定についての通知を受信する前記ステップの前に、前記方法が、
前記端末が、無線能力情報を前記4Gネットワークの前記基地局に送信するステップであって、前記無線能力情報が、現在の端末のデュアル受信およびデュアル送信能力指示情報を含む、送信するステップ、または、
前記端末が、ネットワーク能力情報を前記4Gネットワークのコアネットワークに送信するステップであって、前記ネットワーク能力情報が、前記端末のデュアル受信およびデュアル送信能力指示情報を含み、その結果、前記4Gネットワークの前記コアネットワークが、前記4Gネットワークの前記基地局に前記端末のデュアル受信およびデュアル送信能力を知らせる、送信するステップ
をさらに含む請求項1に記載の音声サービスを実装するための方法。
【請求項８】
音声サービスを実装するための方法であって、
端末が、2G/3Gネットワークのセルおよび4Gネットワークのセルに同時に滞在するステップと、
前記端末の前記2G/3Gネットワークおよび前記4Gネットワークへの組み合わせた接続を完了するために、前記端末が、組み合わせた接続のメッセージまたは組み合わせたロケーション更新のメッセージを、前記4Gネットワークのモビリティ管理エンティティMMEに送信するステップと、
音声サービスを実装する必要がないとき、前記端末が、前記2G/3Gネットワークの前記セルに滞在し続けるステップと、
前記音声サービスを実装する必要があるとき、前記端末が、前記2G/3Gネットワークを介して前記音声サービスを実装するステップと
を含む方法。
【請求項９】
前記端末が、前記2G/3Gネットワークの前記セルに滞在する前記ステップの後、かつ前記端末の前記2G/3Gネットワークおよび前記4Gネットワークへの前記組み合わせた接続の前に、前記方法は、前記端末が、前記端末が滞在する前記2G/3Gネットワークの前記セルのロケーションエリア情報のLAIを読み取るステップをさらに含み、
前記端末の前記2G/3Gネットワークおよび前記4Gネットワークへの前記組み合わせた接続を完了するために、前記端末が、前記組み合わせた接続のメッセージを、前記4Gネットワークの前記MMEに送信する前記ステップが、
前記端末の前記2G/3Gネットワークおよび前記4Gネットワークへの前記組み合わせた接続を完了するために、前記MMEが前記2G/3Gネットワークの対応する移動通信交換局MSCを選択するよう、および前記MMEが前記ロケーション更新のメッセージを前記MSCに送信するように、前記端末が、前記組み合わせた接続のメッセージの中に前記LAIを保持するステップ、および前記メッセージを前記MMEに送信するステップ
を含む、請求項8に記載の音声サービスを実装するための方法。
【請求項１０】
前記端末が、前記2G/3Gネットワークの前記セルに滞在する前記ステップの後、かつ前記2G/3Gネットワークおよび前記4Gネットワークへの組み合わせた更新の前に、前記方法は、前記端末が、前記2G/3Gネットワークのセルを選択するステップ、および前記端末が、選択されたセルのLAIを読み取るステップをさらに含み、
前記端末の前記2G/3Gネットワークおよび前記4Gネットワークへの前記組み合わせた接続を完了するために、前記端末が、前記組み合わせたロケーション更新のメッセージを、前記4Gネットワークの前記MMEに送信する前記ステップが、
前記選択されたセルの前記LAIが前記端末の現在記憶されたLAIと異なるとき、前記端末の前記2G/3Gネットワークおよび前記4Gネットワークへの前記組み合わせた接続を完了するために、前記MMEが前記2G/3Gネットワークの対応する移動通信交換局MSCを選択するよう、および前記MMEが前記ロケーション更新のメッセージを前記MSCに送信するように、前記端末が、前記組み合わせたロケーション更新のメッセージの中に前記選択されたセルの前記LAIを保持するステップ、および前記メッセージを前記MMEに送信するステップ
を含む、請求項8に記載の音声サービスを実装するための方法。
【請求項１１】
デュアルモード端末である端末であって、
前記端末を4Gネットワークのセルに滞在させるように構成された滞在ユニットと、
前記端末が2G/3Gネットワークおよび前記4Gネットワークへの組み合わせた接続を実行するように、組み合わせた接続のメッセージまたは組み合わせたロケーション更新のメッセージを、前記4Gネットワークのモビリティ管理エンティティMMEに送信するように構成された接続ユニットであって、前記端末のCSトランシーバがオフ状態にある、接続ユニットと、
音声サービスを実装する必要があるとき、拡張サービス要求メッセージを前記MMEに送信するように構成された第1の送信ユニットであって、その結果、前記MMEが、前記4Gネットワークの基地局がCSフォールバックをトリガする必要があると命令する、第1の送信ユニットと、
前記4Gネットワークの前記基地局によって送信された前記2G/3Gネットワークの測定についての通知を受信するように構成された受信ユニットと、
前記通知に従って、前記CSトランシーバをオンにし、前記2G/3Gネットワークを測定するように構成された起動ユニットと、
測定結果に従って前記2G/3Gネットワーク上で前記音声サービスを実装するように構成された音声ユニットと
を含む端末。
【請求項１２】
前記音声ユニットが、前記測定結果に従って前記2G/3Gネットワークのセルに滞在し、CS音声サービスを実装するように構成されている、請求項11に記載の端末。
【請求項１３】
前記音声ユニットが、
測定報告を前記4Gネットワークの前記基地局に送信するように構成された第1の送信モジュールと、
前記4Gネットワークの前記基地局によって送信された前記2G/3Gネットワークのターゲットセルのシステム情報を受信するように構成された第1の受信モジュールであって、前記ターゲットセルが、前記測定報告に従って前記4Gネットワークの前記基地局によって選択される、第1の受信モジュールと、
前記システム情報に従って前記2G/3Gネットワークの前記ターゲットセルに滞在し、前記CS音声サービスを実装するように構成された第1の音声モジュールと
を含む、請求項12に記載の端末。
【請求項１４】
前記音声ユニットが、
前記4Gネットワークの前記基地局が前記2G/3Gネットワークのターゲットセルを選択するよう、および前記4Gネットワークがデュアル無線モードのハンドオーバをトリガするように、測定報告を前記4Gネットワークの前記基地局に送信するように構成された第2の送信モジュールと、
前記4Gネットワークの前記基地局によって送信されたハンドオーバ応答メッセージを受信するように構成された第2の受信モジュールと、
前記2G/3Gネットワークの前記ターゲットセルにアクセスし、CS音声サービスを実装するように構成された第2の音声モジュールと
を含む、請求項11に記載の端末。
【請求項１５】
前記音声ユニットが、
前記4Gネットワークの前記基地局が前記2G/3Gネットワークのターゲットセルを選択するよう、および前記4GネットワークがPS to CSハンドオーバをトリガするように、測定報告を前記4Gネットワークの前記基地局に送信するように構成された第3の送信モジュールと、
前記4Gネットワークの前記基地局によって送信されたハンドオーバ応答メッセージを受信するように構成された第3の受信モジュールと、
前記2G/3Gネットワークの前記ターゲットセルにアクセスし、CS音声サービスを実装するように構成された第3の音声モジュールと
を含む、請求項11に記載の端末。
【請求項１６】
無線能力情報を前記4Gネットワークの前記基地局に送信するように構成された第2の送信ユニットであって、前記無線能力情報が、現在の端末のデュアル受信およびデュアル送信能力指示情報を含む、第2の送信ユニット、または、
ネットワーク能力情報を前記4Gネットワークのコアネットワークに送信するように構成された第3の送信ユニットであって、前記ネットワーク能力情報が、前記端末のデュアル受信およびデュアル送信能力指示情報を含み、その結果、前記4Gネットワークの前記コアネットワークが、前記4Gネットワークの前記基地局に前記端末のデュアル受信およびデュアル送信能力を知らせる、第3の送信ユニット
をさらに含む請求項11に記載の端末。
【請求項１７】
端末を、2G/3Gネットワークのセルおよび4Gネットワークのセルに同時に滞在させるように構成された滞在ユニットと、
前記端末の前記2G/3Gネットワークおよび前記4Gネットワークへの組み合わせた接続を完了するために、組み合わせた接続のメッセージまたは組み合わせたロケーション更新のメッセージを、前記4Gネットワークのモビリティ管理エンティティMMEに送信するように構成された接続ユニットと、
音声サービスを実装する必要があるとき、前記2G/3Gネットワークを介して前記音声サービスを実装するように構成された音声ユニットと
を含む前記端末であって、
前記音声サービスを実装する必要がないとき、前記滞在ユニットが、前記2G/3Gネットワークの前記セルにおいて前記端末の滞在状態を維持するようにさらに構成されている、
端末。
【請求項１８】
前記端末が滞在する前記2G/3Gネットワークの前記セルのロケーションエリア情報のLAIを読み取るように構成された読み取りユニット
をさらに含み、
前記端末の前記2G/3Gネットワークおよび前記4Gネットワークへの前記組み合わせた接続を完了するために、前記MMEが前記2G/3Gネットワークの対応する移動通信交換局MSCを選択するよう、および前記MMEが前記ロケーション更新のメッセージを前記MSCに送信するように、前記接続ユニットが、前記組み合わせた接続のメッセージの中に前記LAIを保持し、前記メッセージを前記MMEに送信するようにとりわけ構成されている、
請求項17に記載の端末。
【請求項１９】
前記端末に、前記2G/3Gネットワークのセルを選択させ、選択されたセルのLAIを読み取らせるように構成された選択ユニット
をさらに含み、
前記選択されたセルの前記LAIが前記端末の現在記憶されたLAIと異なるとき、前記端末の前記2G/3Gネットワークおよび前記4Gネットワークへの前記組み合わせた接続を完了するために、前記MMEが前記2G/3Gネットワークの対応する移動通信交換局MSCを選択するよう、および前記MMEが前記ロケーション更新のメッセージを前記MSCに送信するように、前記接続ユニットが、前記組み合わせたロケーション更新のメッセージの中に前記選択されたセルの前記LAIを保持し、前記メッセージを前記MMEに送信するようにとりわけ構成されている、
請求項17に記載の端末。
【発明の詳細な説明】
【技術分野】
【０００１】
本出願は、その全体において参照により本明細書に組み込まれる、2011年3月31日に中国特許庁に出願され、「METHOD AND TERMINAL FOR IMPLEMENTING A VOICE SERVICE」と題された、中国特許出願第201110081182.6号の優先権を主張するものである。
【０００２】
本発明は、通信技術の分野に関し、より詳細には、音声サービスを実装するための方法および端末に関する。
【背景技術】
【０００３】
既存の通信ネットワークは、CS(Circuit Switched、回路交換)ドメインネットワーク、およびPS(Packet Switched、パケット交換)ドメインネットワークを含む。たとえば、LTEネットワークでのPSドメインは、高速データサービスを伝送するよう適用可能であり、GSM（登録商標）またはUMTSネットワークでのCSドメインは、音声呼を実行するよう適用可能である。
【０００４】
PSがデータを伝送し、CSが音声を伝送するという要件を満たすために、先行技術では、デュアル受信およびデュアル送信(dual radio)UEの場合に、UEのCS無線モジュールおよびPS無線モジュールが同時にオンにされてよく、UEは、データサービスを実行するためにPSモジュールを、かつ音声サービスを実行するためにCSモジュールを、同時に使用する。
【０００５】
本発明者は、上述した音声サービスを実装するプロセスの間に、先行技術が少なくとも以下の問題を有することを見出した。
【０００６】
CSドメインネットワークでのトランシーバと、PSドメインネットワークに対応したトランシーバとは、同時にオンにされる必要があり、両方は、最適化を実装せずに動作状態を保つ。これが、端末UEの極めて大きな電力消費の原因となることがある。
【発明の概要】
【発明が解決しようとする課題】
【０００７】
本発明の実施形態は、エネルギー節約の目的を達するために、端末の電力消費を低減するように音声サービスを実装するための方法および端末を提供する。
【課題を解決するための手段】
【０００８】
上述した目的を達成するために、本発明の実施形態は、以下の技術的なソリューションを採用する。
【０００９】
一態様において、本発明の実施形態は、音声サービスを実装するための方法を提供し、方法は、
端末が、4Gネットワークのセルに滞在するステップと、
端末が、2G/3Gネットワークおよび4Gネットワークに接続するために、組み合わせた接続のメッセージまたは組み合わせたロケーション更新のメッセージを、4Gネットワークのモビリティ管理エンティティMMEに送信するステップであって、端末のCSトランシーバがオフ状態にある、送信するステップと、
音声サービスを実装する必要があるとき、端末が、拡張サービス要求メッセージをMMEに送信するステップであって、その結果、MMEが、4Gネットワークの基地局がCSフォールバックをトリガする必要があると命令する、送信するステップと、
端末が、4Gネットワークの基地局によって送信された2G/3Gネットワークの測定についての通知を受信するステップと、
端末が、通知に従って、CSトランシーバをオンにするステップ、および2G/3Gネットワークを測定するステップと、
端末が、測定結果に従って2G/3Gネットワーク上で音声サービスを実装するステップと
を含む。
【００１０】
端末が提供される。端末は、デュアルモード端末であり、
端末を4Gネットワークのセルに滞在させるように構成された滞在ユニットと、
端末が2G/3Gネットワークおよび4Gネットワークへの組み合わせた接続を実行するように、組み合わせた接続のメッセージまたは組み合わせたロケーション更新のメッセージを、4Gネットワークのモビリティ管理エンティティMMEに送信するように構成された接続ユニットであって、端末のCSトランシーバがオフ状態にある、接続ユニットと、
音声サービスを実装する必要があるとき、拡張サービス要求メッセージをMMEに送信するように構成された第1の送信ユニットであって、その結果、MMEが、4Gネットワークの基地局がCSフォールバックをトリガする必要があると命令する、第1の送信ユニットと、
4Gネットワークの基地局によって送信された2G/3Gネットワークの測定についての通知を受信するように構成された受信ユニットと、
通知に従って、CSトランシーバをオンにし、2G/3Gネットワークを測定するように構成された起動ユニットと、
測定結果に従って2G/3Gネットワーク上で音声サービスを実装するように構成された音声ユニットと
を含む。
【００１１】
別の態様において、本発明の実施形態は、音声サービスを実装するための方法をさらに提供し、方法は、
端末が、2G/3Gネットワークのセルおよび4Gネットワークのセルに同時に滞在するステップと、
端末の2G/3Gネットワークおよび4Gネットワークへの組み合わせた接続を完了するために、端末が、組み合わせた接続のメッセージまたは組み合わせたロケーション更新のメッセージを、4Gネットワークのモビリティ管理エンティティMMEに送信するステップと、
音声サービスを実装する必要がないとき、端末が、2G/3Gネットワークのセルに滞在し続けるステップと、
音声サービスを実装する必要があるとき、端末が、2G/3Gネットワークを介して音声サービスを実装するステップと
を含む。
【００１２】
端末が提供される。端末は、デュアルモード端末であり、
端末を、2G/3Gネットワークのセルおよび4Gネットワークのセルに同時に滞在させるように構成された滞在ユニットと、
端末の2G/3Gネットワークおよび4Gネットワークへの組み合わせた接続を完了するために、組み合わせた接続のメッセージまたは組み合わせたロケーション更新のメッセージを、4Gネットワークのモビリティ管理エンティティMMEに送信するように構成された接続ユニットと、
音声サービスを実装する必要があるとき、2G/3Gネットワークを介して音声サービスを実装するように構成された音声ユニットと
を含み、
音声サービスを実装する必要がないとき、滞在ユニットが、2G/3Gネットワークのセルにおいて端末の滞在状態を維持するようにさらに構成されている。
【００１３】
本発明の実施形態において提供される音声サービスを実装するための方法および端末によれば、音声サービスを実装する必要がないとき、デュアルモード端末におけるPSトランシーバは動作状態を保ち、デュアルモード端末におけるCSトランシーバはオフにされる、または静止状態にされる。これにより、音声サービスが存在しないときの端末の電力消費を低減することができる。さらに、端末は、2G/3Gネットワークへの組み合わせた接続を実行している。したがって、音声サービスを実装する必要があるとき、端末は、サービスのハンドオーバを迅速に完了することができる。本発明の実施形態において提供されるソリューションにより、端末の電力消費を低減してエネルギー節約の目的を達することができ、その上、2G/3Gネットワークにアクセスして音声サービスを実装するプロセスが固定されてよい。
【００１４】
本発明の実施形態における、または先行技術における技術的なソリューションをより明確に示すために、以下では、実施形態または先行技術を説明するために必要となる添付の図面を簡単に紹介する。明らかに、以下の説明における添付の図面は、本発明のいくつかの実施形態を示しているに過ぎず、当業者はなお、創造的な取り組みなしに、これらの添付の図面から他の図面を引き出すことができる。
【図面の簡単な説明】
【００１５】
【図１】本発明の実施形態1による、音声サービスを実装するための方法の流れ図である。
【図２】本発明の実施形態1による端末の構造概略図である。
【図３】本発明の実施形態2による、音声サービスを実装するための方法のシグナリング流れ図である。
【図４】本発明の実施形態3による、音声サービスを実装するための方法のシグナリング流れ図である。
【図５】本発明の実施形態4による、音声サービスを実装するための方法のシグナリング流れ図である。
【図６】本発明の実施形態5による端末の構造概略図である。
【図７】図6の端末における音声ユニットの実装モード1の図である。
【図８】図6の端末における音声ユニットの実装モード2の図である。
【図９】図6の端末における音声ユニットの実装モード3の図である。
【図１０】本発明の実施形態6による、音声サービスを実装するための方法の流れ図である。
【図１１】本発明の実施形態6による端末の構造概略図である。
【図１２】本発明の実施形態7による、音声サービスを実装するための方法の流れ図である。
【図１３】本発明の実施形態7による、2G/3GネットワークへのUEの接続のシグナリング流れ図である。
【図１４】本発明の実施形態7による、UEの2G/3Gネットワーク再選択のシグナリング流れ図である。
【図１５】本発明の実施形態7による端末の構造概略図である。
【発明を実施するための形態】
【００１６】
本発明の実施形態における技術的なソリューションを、本発明の実施形態における添付の図面を参照して、以下で明確かつ完全に説明する。明らかに、説明される実施形態は、本発明の実施形態のすべてではなく、その一部のみにすぎない。本発明の実施形態に基づいて、創造的な取り組みなしに当業者によって取得されるすべての他の実施形態は、本発明の保護範囲内に入るものとする。
【００１７】
本発明の実施形態において提供される音声サービスを実装するための方法および端末を、添付の図面を参照して以下で詳細に説明する。
【００１８】
実施形態1
図1に示すように、本発明の実施形態において提供される音声サービスを実装するための方法は、以下のステップを含む。
【００１９】
101:端末が、4Gネットワークのセルに滞在する。
【００２０】
102:  端末は、2G/3Gネットワークおよび4Gネットワークに接続するために、組み合わせた接続のメッセージまたは組み合わせたロケーション更新のメッセージを、4GネットワークのMME(Mobility management entity、モビリティ管理エンティティ)に送信し、ここで、端末のCSトランシーバ(たとえば、2G/3G受信機)は、オフ状態にある。
【００２１】
2G/3Gネットワークおよび4Gネットワークへの、端末の組み合わせた接続または組み合わせたロケーション更新は、とりわけ、2G/3G回路交換CSネットワークおよび4Gネットワークへの、端末の組み合わせた接続または組み合わせたロケーション更新を指す。
【００２２】
103:音声サービスを実装する必要があるとき、端末は、拡張サービス要求メッセージ(extended service request)をMMEに送信し、その結果、MMEは、4Gネットワークの基地局がCSフォールバック(CS fallback)をトリガする必要があると命令する。
【００２３】
104:端末は、4Gネットワークの基地局によって送信された2G/3Gネットワークの測定についての通知を受信する。
【００２４】
105:端末は、通知に従って、CSトランシーバをオンにし、2G/3Gネットワークを測定する。
【００２５】
106:端末は、測定結果に従って2G/3Gネットワーク上で音声サービスを実装する。
【００２６】
上述した方法に対応して、この実施形態は、音声サービスを実装するための端末を提供し、ここで、端末はデュアルモード端末である。図2に示すように、端末は、
端末を4Gネットワークのセルに滞在させるように構成された滞在ユニット21と、
端末が2G/3Gネットワークおよび4Gネットワークへの組み合わせた接続を実行するように、組み合わせた接続のメッセージまたは組み合わせたロケーション更新のメッセージを、4Gネットワークのモビリティ管理エンティティMMEに送信するように構成された接続ユニット22であって、ここで、端末のCSトランシーバがオフ状態にある、接続ユニット22と、
音声サービスを実装する必要があるとき、拡張サービス要求メッセージをMMEに送信するように構成された第1の送信ユニット23であって、その結果、MMEが、4Gネットワークの基地局がCSフォールバックをトリガする必要があると命令する、第1の送信ユニット23と、
4Gネットワークの基地局によって送信された2G/3Gネットワークの測定についての通知を受信するように構成された受信ユニット24と、
通知に従って、CSトランシーバをオンにし、2G/3Gネットワークを測定するように構成された起動ユニット25と、
測定結果に従って2G/3Gネットワーク上で音声サービスを実装するように構成された音声ユニット26と
を含む。
【００２７】
本発明のこの実施形態において提供される音声サービスを実装するための方法および端末によれば、音声サービスを実装する必要がないとき、デュアルモード端末におけるPSトランシーバは動作状態を保ち、デュアルモード端末におけるCSトランシーバはオフにされる。これにより、音声サービスが存在しないときの端末の電力消費を低減することができる。さらに、端末は、2G/3Gネットワークへの組み合わせた接続を実行している。したがって、音声サービスを実装する必要があるとき、端末は、サービスのハンドオーバを迅速に完了することができる。本発明の実施形態において提供されるソリューションにより、端末の電力消費を低減してエネルギー節約の目的を達することができ、その上、2G/3Gネットワークにアクセスして音声サービスを実装するプロセスが固定されてよい。
【００２８】
本発明の実施形態において、2Gネットワークは、GSM（登録商標）(Global System for Mobile Communications、移動体通信用グローバルシステム)ネットワークであってよい。3Gネットワークは、WCDMA（登録商標）(Wideband Code Division Multiple Access、広帯域符号分割多元接続)ネットワークであってよい。4Gネットワークは、LTE(Long Term Evolution、ロングタームエボリューション)ネットワーク、またはLTE-A(Long Term Evolution Advanced、ロングタームエボリューションアドバンスト)ネットワークであってよい。
【００２９】
実施形態2
本発明の実施形態に関与する端末は、デュアル無線(dual radio)端末であり、すなわち、CSトランシーバおよびPSトランシーバが端末に同時に配置されている。
【００３０】
この実施形態では、4Gネットワークの例としてLTEネットワークを取り上げる。端末におけるPSトランシーバ(この実施形態では、LTEトランシーバなどの4Gトランシーバであってよい)は、オン状態にとどまり、動作状態のままであり、しかしCSトランシーバ(この実施形態では、2G/3Gトランシーバであってよい)オフ状態のままである。
【００３１】
図3に示すように、本発明の実施形態で提供される音声サービスを実装するための方法は、とりわけ、以下のステップを含む。
【００３２】
301:端末UEが、LTEネットワークのセルに滞在する。
【００３３】
302:組み合わせた接続のメッセージをLTEネットワークのMMEに送信することによって、端末UEは、LTEネットワークおよび2G/3Gネットワークへの組み合わせた接続を実行し、ここで、端末UEの2G/3Gトランシーバは、オフ状態のままである。
【００３４】
303:音声サービスを実装する必要があるとき、UEは、拡張サービス要求メッセージ(extended service request)をLTEネットワークのMMEに送信し、その結果、MMEは、LTEネットワークの基地局がCSFB(Circuit Switch FallBack、CSフォールバック)プロセスをトリガする必要があると命令する。
【００３５】
304:MMEは、コンテキスト修正(context modification)メッセージをENB(Evolved NodeB、発展型ノードB)に送信し、コンテキスト修正メッセージは、ENBにCSフォールバックを実行するよう命令するために使用される。コンテキスト修正メッセージはまた、既存のCSFBプロセスが、dual radioモードに基づいたCSFBプロセスであることを指示する指示情報を保持することができる。
【００３６】
ステップ305を実装する前に、MMEは最初に、UEがdual radio能力を有するかどうかを入手する必要がある。とりわけ、UEは、radio capability(無線能力情報)をENBに送信し、radio capabilityにdual radio能力指示情報を追加することができる。したがって、radio capabilityを取得した後で、ENBは、UEがdual radio能力を有するかどうかを入手する、または、
UEは、UEそれ自身がdual radio能力を有しているかどうかをMMEに通知し、たとえば、UEは、network capability(ネットワーク能力情報)をMMEに送信し、network capabilityにdual radio能力指示情報を追加する。UEのdual radio能力を入手した後で、MMEはENBに通知する。
【００３７】
305:ENBは、測定制御(measurement control)メッセージをUEに送信し、測定制御メッセージは、UEに、2G/3Gネットワークのセル(以下では、2G/3Gセルと呼ぶ)を測定するよう命令するために使用される。測定制御メッセージは、2G/3Gセル情報、または周波数グループ情報を含む。2G/3Gセル情報は、1つまたは複数の2G/3Gセルに、端末が測定を必要としていることを指示するために使用される。周波数グループ情報は、2G/3Gセルに、1つまたは複数の周波数で通信を実行すること、および端末が測定を必要としていることを指示するために使用される。一方、2G/3Gトランシーバをオンにして2G/3Gセルを測定するようUEに命令するために使用される測定制御メッセージは、測定ギャップ(measurement gap)を保持していなくてもよい。
【００３８】
306:測定制御メッセージを受信した後で、UEは、測定制御メッセージに従って、2G/3Gトランシーバを起動し、2G/3Gネットワークを測定する。
【００３９】
2G/3Gトランシーバがオンにされた後、UEは最初に、測定結果に従って、現在接続された2G/3Gセルに滞在し、次いで、2G/3GセルにおいてCS音声サービスを実装する。詳細な実装プロセスについては、ステップ307〜ステップ309への参照が行われてよい。
【００４０】
307:UEは、測定報告をLTEネットワークの基地局ENBに送信し、ここで、測定報告は、UEが2G/3Gネットワークで測定を実行した後に取得された測定結果を保持している。
【００４１】
308:ENBは、測定結果に従って、ターゲットセルを選択し、ターゲットセルのシステム情報(target cell system information)をUEに送信する。
【００４２】
309:UEは、システム情報に従って、2G/3Gネットワークのターゲットセルに滞在し、通常のMO(Mobile Originating call)またはMT(Mobile Terminating call)呼プロセスを実装する。
【００４３】
2G/3Gネットワークのターゲットセルに滞在することは、端末が、ターゲットセルのシステム情報を読み取り、セル選択機能およびセル再選択機能を開始することを意味する。
【００４４】
上述したステップの実装の間に、UEが位置するロケーションエリアが、UEが以前に登録したロケーションエリアと異なる場合、UEはまた、ロケーションエリア更新を実行するために、組み合わせたロケーション更新のメッセージを4Gネットワーク(LTEネットワーク)のMMEに送信する必要があり、その結果、UEは、音声サービスを実装する前に、現在UEが位置する2G/3Gネットワーク、および4Gネットワークへの組み合わせた接続を実行する。
【００４５】
本発明の実施形態において提供される音声サービスを実装するための方法を使用することによって、音声サービスを実装する必要がないとき、端末におけるPSトランシーバのみがオンにされる必要があり、しかしCSトランシーバはオフ状態のままであり、CSトランシーバの電力消費が低減される。したがって、端末の全体の電力消費が大幅に低減される。音声サービスを実装する必要があるとき、オンにする命令、すなわち、ENBにより送信された測定制御メッセージを受信した後で、UEは、端末におけるCSトランシーバをオンにして、音声サービスの適正な処理を確実にする。本発明の実施形態におけるソリューションを使用して、ユーザが音声サービスを使用するときに高速データサービス体験を保ちながら、端末の電力消費を低減してエネルギー節約の目的を達することができる。
【００４６】
実施形態3
本発明の実施形態に関与する端末は、デュアル受信およびデュアル送信(dual radio)端末であり、すなわち、CSトランシーバおよびPSトランシーバが端末に同時に配置されており、トランシーバは同時に動作することができる。
【００４７】
この実施形態では、4Gネットワークの例としてLTEネットワークを取り上げる。端末におけるPSトランシーバ(この実施形態では、LTEトランシーバなどの4Gトランシーバであってよい)は、オン状態にとどまり、動作状態のままであり、しかしCSトランシーバ(この実施形態では、2G/3Gトランシーバであってよい)オフ状態のままである。
【００４８】
図4に示すように、本発明の実施形態で提供される音声サービスを実装するための方法は、とりわけ、以下のステップを含む。
【００４９】
401:端末UEが、LTEネットワークのセルに滞在する。
【００５０】
402:組み合わせた接続のメッセージをLTEネットワークのMMEに送信することによって、端末UEは、LTEネットワークおよび2G/3Gネットワークへの組み合わせた接続を実行し、ここで、端末UEの2G/3Gトランシーバは、オフ状態のままである。
【００５１】
403:音声サービスを実装する必要があるとき(UEは、発呼者としての役割をする、またはUEは、ページングメッセージを受信して被呼者としての役割をする)、UEは、拡張サービス要求メッセージ(extended service request)をLTEネットワークのMMEに送信し、その結果、MMEは、LTEネットワークの基地局がCSフォールバックプロセスをトリガする必要があると命令する。
【００５２】
404:MMEは、コンテキスト修正(context modification)メッセージをENBに送信し、コンテキスト修正メッセージは、ENBにCSフォールバックを実装するよう命令するために使用される。コンテキスト修正メッセージはまた、既存のCSフォールバックプロセスが、dual radioモードに基づいたCSFBプロセスであることを指示する指示情報を保持することができる。
【００５３】
ステップ405を実装する前に、MMEは最初に、UEがdual radio能力を有するかどうかを入手する必要がある。とりわけ、UEは、radio capability(無線能力情報)をENBに送信し、radio capabilityにdual radio能力の指示情報を追加することができる。したがって、radio capabilityを取得した後で、ENBは、UEがdual radio能力を有するかどうかを入手する、または、
UEは、UEそれ自身がdual radio能力を有しているかどうかをMMEに通知し、たとえば、UEは、network capability(ネットワーク能力情報)をMMEに送信し、network capabilityに、デュアル受信およびデュアル送信能力指示情報を追加する。UEのdual radio能力を入手した後で、MMEはENBにdual radio能力を通知する。
【００５４】
405:ENBは、測定制御(measurement control)メッセージをUEに送信し、測定制御メッセージは、UEに、2G/3Gネットワークのセル(以下では、2G/3Gセルと呼ぶ)を測定するよう命令するために使用される。測定制御メッセージは、2G/3Gセル情報、または周波数グループ情報を含む。2G/3Gセル情報は、1つまたは複数の2G/3Gセルに、端末が測定を必要としていることを指示するために使用される。周波数グループ情報は、2G/3Gセルに、1つまたは複数の周波数で通信を実行すること、および端末が測定を必要としていることを指示するために使用される。一方、2G/3Gトランシーバをオンにして2G/3Gセルを測定するようUEに命令するために使用される測定制御メッセージは、測定ギャップ(measurement gap)を保持していなくてもよい。
【００５５】
406:測定制御メッセージを受信した後で、UEは、測定制御メッセージに従って、2G/3Gトランシーバを起動し、2G/3Gネットワークを測定する。
【００５６】
上述したステップ403〜406を通して、CSトランシーバ、すなわち、2G/3Gトランシーバの起動プロセスを完了することができる。2G/3Gトランシーバがオンにされた後、UEが、2G/3Gトランシーバがオンにされた後の測定結果に従って2G/3GセルにおいてCS音声サービスを実装する特定の実装プロセスについては、ステップ407〜ステップ415への参照が行われてよい。
【００５７】
407:UEは、測定報告をLTEネットワークの基地局ENBに送信し、ここで、測定報告は、UEが2G/3Gネットワークで測定を実行した後に取得された測定結果を保持している。ENBは、測定報告における測定結果に従ってターゲットセルを選択する。
【００５８】
その後、ENBは、PSハンドオーバプロセスをトリガする。詳細については、以下のステップにおける説明への参照が行われてよい。
【００５９】
408:ENBは、ハンドオーバ要請(handover required)メッセージをLTEネットワークのMMEに送信する。ハンドオーバ要請メッセージは、dual radioハンドオーバを実行するかどうかを指示する指示を含むことができる。
【００６０】
409:MMEは、ハンドオーバメッセージ、すなわち、転送再配置要求(forward relocation request)を、2G/3GネットワークのサービングGPRSサポートノードSGSN(Serving GPRS Support Node)に送信する。
【００６１】
ENBによって送信されたハンドオーバ要請メッセージがdual radio指示を含む場合、MMEによってGPRSに送信された転送再配置要求もまたdual radio指示を含み、MMEは、ベアラコンテキストを解放しない。
【００６２】
転送再配置要求を通してdual radio指示を保持することに加え、この実施形態では、dual radioハンドオーバを命令するために、新たなメッセージがまた定義されてもよい。
【００６３】
410:SGSNは、ハンドオーバ要求メッセージ、すなわち、再配置要求(relocation request)を、BSC(Base Station Controller、基地局コントローラ)/RNC(Radio Network Controller、無線ネットワークコントローラ)に送信する。メッセージは、RAB(Radio Access Bearer、無線アクセスベアラ)情報を保持しない。このやり方では、BSC/RNCは、RRCコネクションのためのリソースのみを準備する。
【００６４】
411: BSC/RNCは、ハンドオーバ回答メッセージ、すなわち、再配置応答(relocation response)をSGSNに返送する。
【００６５】
412:SGSNは、転送再配置応答(forward relocation response)をMMEに返送する。
【００６６】
413:MMEは、ハンドオーバ応答メッセージ、すなわち、ハンドオーバコマンド(handover command)をENBに送信する。
【００６７】
414:ENBは、ハンドオーバ応答メッセージ、すなわち、ハンドオーバ情報(handover information)をUEに送信する。
【００６８】
ステップ414で、ENBは、新たなRRC(Radio Resource Control、無線リソース制御プロトコル)メッセージを使用して、ENBとUEとのLTE通信コネクションに影響を及ぼさずに、ハンドオーバメッセージを送信する。
【００６９】
415:UEは、2G/3Gネットワークで新たなRRCコネクションを確立し、次いで、UEにおける2G/3Gトランシーバを使用して、新たに確立されたRRCコネクションを介して、通常のMOまたはMTプロセスを完了する。
【００７０】
ステップ415で、UEは、2G/3Gネットワークで新たなRRCコネクションを確立して、音声サービスを完了する。これは、LTEネットワークでのデータサービスに影響を及ぼさない。したがって、SGSNは、RNC/BSCが専用の伝送チャネルを確立することを必要とせず、SGSNはまた、更新メッセージをSGWに送信しなくてもよく、すなわち、SGSNは、BSC/RNC側でのみシグナリングベアラを確立するが、SGWへのユーザプレーンは更新しない。
【００７１】
本発明の実施形態において提供される音声サービスを実装するための方法を使用することによって、音声サービスを実装する必要がないとき、端末におけるPSトランシーバのみがオンにされる必要があり、しかしCSトランシーバはオフ状態のままである。CSトランシーバの電力消費が低減され、したがって、端末の全体の電力消費が大幅に低減される。
【００７２】
加えて、本発明の実施形態において、音声サービスを完了するためにCSドメインにおいて新たなRRCコネクションを確立することによって、このプロセス中、PSドメインサービスはしかし、実際には2G/3Gネットワークにハンドオーバされず、LTEネットワークにとどまり続ける。すなわち、このプロセスにおいて、見せかけのPSハンドオーバを実装することによって、2G/3G RRCコネクションを確立する。データサービスは、引き続きLTEネットワークにとどまり、この実施形態におけるソリューションは、ネットワーク間のデータサービスのハンドオーバを含まない。したがって、この実装モードは、UEがCS音声サービスを実装することを可能にし、一方で、高速データサービスの優れた体験を保つことができる。
【００７３】
ステップ408で、ENBはまた、その負荷に従って、実際のPSハンドオーバを開始するかどうかを判定することができ、たとえば、ENB負荷が重いときは、実際のPS切り換えを開始することができる。したがって、MMEによってGPRSに送信された転送再配置要求は、dual radio指示を保持しない。
【００７４】
実施形態4
本発明の実施形態で必要とされる端末は、デュアル無線(dual radio)端末であり、すなわち、CSトランシーバおよびPSトランシーバが端末に同時に配置されている。
【００７５】
この実施形態では、4Gネットワークの例としてLTEネットワークを取り上げる。端末におけるPSトランシーバ(この実施形態では、LTEトランシーバなどの4Gトランシーバであってよい)は、オン状態にとどまり、動作状態のままであり、しかしCSトランシーバ(この実施形態では、2G/3Gトランシーバであってよい)オフ状態のままである。
【００７６】
図5に示すように、本発明の実施形態は、音声サービスを実装するための方法を提供する。方法は、とりわけ、以下のステップを含む。
【００７７】
501:端末UEが、LTEネットワークのセルに滞在する。
【００７８】
502:組み合わせた接続のメッセージをLTEネットワークのMMEに送信することによって、端末UEは、LTEネットワークおよび2G/3Gネットワークに接続し、ここで、端末UEの2G/3Gトランシーバは、オフ状態のままである。
【００７９】
503:音声サービスを実装する必要があるとき、UEは、拡張サービス要求メッセージ(extended service request)をLTEネットワークのMMEに送信し、その結果、MMEは、LTEネットワークの基地局がCSフォールバックプロセスをトリガする必要があると命令する。
【００８０】
504:MMEは、コンテキスト修正(context modification)メッセージをENBに送信し、コンテキスト修正メッセージは、ENBにCSフォールバックを実装するよう命令するために使用される。コンテキスト修正メッセージはまた、既存のCSフォールバックプロセスが、dual radioモードに基づいたCSFBプロセスであることを指示する指示情報を保持することができる。
【００８１】
ステップ505の前に、MMEは最初に、UEがdual radio能力を有するかどうかを入手する必要がある。とりわけ、UEは、radio capability(無線能力情報)をENBに送信し、radio capabilityにdual radio能力の指示情報を追加することができる。したがって、radio capabilityを取得した後で、ENBは、UEがdual radio能力を有するかどうかを入手する、または、
UEは、UEそれ自身がdual radio能力を有しているかどうかをMMEに通知し、たとえば、UEは、network capability(ネットワーク能力情報)をMMEに送信し、network capabilityに、デュアル受信およびデュアル送信能力指示情報を追加する。UEのdual radio能力を入手した後で、MMEはENBにdual radio能力を通知する。
【００８２】
505:ENBは、測定制御(measurement control)メッセージをUEに送信し、測定制御メッセージは、UEに、2G/3Gネットワークのセル(以下では、2G/3Gセルと呼ぶ)を測定するよう命令するために使用される。測定制御メッセージは、2G/3Gセル情報、または周波数グループ情報を含む。2G/3Gセル情報は、1つまたは複数の2G/3Gセルに、端末が測定を必要としていることを指示するために使用される。周波数グループ情報は、2G/3Gセルに、1つまたは複数の周波数で通信を実行すること、および端末が測定を必要としていることを指示するために使用される。一方、2G/3Gトランシーバをオンにして2G/3Gセルを測定するようUEに命令するために使用される測定制御メッセージは、測定ギャップ(measurement gap)を保持していなくてもよい。
【００８３】
506:測定制御メッセージを受信した後で、UEは、測定制御メッセージに従って、2G/3Gトランシーバを起動し、2G/3Gネットワークを測定する。
【００８４】
ステップ503〜506を通して、CSトランシーバ、すなわち、2G/3Gトランシーバの起動プロセスを完了することができる。2G/3Gトランシーバがオンにされた後、UEは、測定結果に従って2G/3GセルにおいてCS音声サービスを実装する。特定の実装プロセスについては、ステップ507〜ステップ514への参照が行われてよい。
【００８５】
507:UEは、測定報告をLTEネットワークの基地局ENBに送信し、測定報告は、UEが2G/3Gネットワークで測定を実行した後の測定結果を保持している。ENBは、測定報告における測定結果に従ってターゲットセルを選択する。
【００８６】
その後、ENBは、PSドメインからCSドメインへの(PS to CS)ハンドオーバプロセスをトリガする。詳細については、以下のステップにおける説明への参照が行われてよい。
【００８７】
508:ENBは、ハンドオーバ要請(handover required)メッセージをLTEネットワークのMMEに送信する。
【００８８】
509:MMEは、PS to CSハンドオーバメッセージを、MSC(Mobile Switching Center、移動通信交換局)に送信する。
【００８９】
ここで、MMEは、呼が、メッセージにおいて開始される必要がないこと、または、メッセージに空の番号を含むことを指示することができる。このようにして、MSCは、呼を開始しない。
【００９０】
510:MSCは、ハンドオーバ要求をBSC/RNCに送信し、BSC/RNCは、ハンドオーバ回答メッセージを返送する。
【００９１】
このステップでは、MSCによって送信されたハンドオーバ要求を受信した後で、BSC/RNCは、後続のCS音声サービスのためのリソースを確保する。
【００９２】
511:MSCは、PS to CSハンドオーバ回答メッセージをMMEに返送する。
【００９３】
512:MMEは、ハンドオーバコマンド(handover command)をENBに送信する。
【００９４】
513:ENBは、ハンドオーバ情報(handover information)をUEに送信する。
【００９５】
ステップ513で、ハンドオーバ情報は、新たなRRCメッセージに保持されてよい。これにより、UEとENBとの間に、実際のLTEエアインターフェースコネクションの中断を引き起こさない。
【００９６】
514:UEは、2G/3Gネットワークへとハンドオーバされ、2G/3Gネットワークのターゲットセルへのアクセスを得て、通常のCS MOまたはMTプロセスに従って、呼を継続する。
【００９７】
ステップ510で、BSC/RNCは、CS音声サービスのためのリソースを確保しており、伝送チャネルが確立されている。したがって、ステップ514で通常のMOまたはMTプロセスを完了するとき、RAB(Radio Access Bearer、無線アクセスベアラ)割り当てを再度実行する必要がない。
【００９８】
音声サービスを実装するための上述したプロセスにおいて、UEが発呼サービスを開始する場合、ステップ503での拡張サービス要求メッセージはまた、被呼番号を保持してもよい。ステップ509で、MMEは、PS to CSハンドオーバメッセージを介して、被呼番号をMSCに送信する。その後、MSCは、被呼番号に対応した端末に発呼し始めることができる。
【００９９】
本発明の実施形態において提供される音声サービスを実装するための方法を使用することによって、音声サービスを実装する必要がないとき、端末におけるPSトランシーバのみがオンにされる必要があり、しかしCSトランシーバはオフ状態のままである。CSトランシーバの電力消費が低減され、したがって、端末の全体の電力消費が大幅に低減される。
【０１００】
加えて、本発明の実施形態では、ENBがPS to CSハンドオーバプロセスをトリガすること、ならびにハンドオーバプロセスの間にRRCコネクションおよび伝送チャネルを確立してUEの2G/3Gネットワークへの後続のハンドオーバのために十分な準備を行うことによって、UEが2G/3Gネットワークにアクセスするためのアクセス速度を上げることができる。これにより、端末が、CS音声サービスを迅速に処理し、その間、LTEネットワークおよび他の高帯域幅無線ネットワーク上でのサービスを継続することが可能になる。
【０１０１】
加えて、この実施形態におけるソリューションはまた、single radio(最大で1つの無線トランシーバが、常に動作状態のままであってよい)モードにおける端末に適用することができる。single radio端末に適用する場合、ステップ504で、dual radio CSFB指示は保持されず、ステップ505で、測定ギャップが保持され、ステップ506で、測定ギャップを使用して2G/3Gセルでの測定を実行し、ステップ506はオプションである。ステップ506が実装されない場合、ステップ507は実装されず、ステップ513で、Mobility From EUTRANコマンドが使用される。しかしながら、UEが2G/3Gトランシーバをオンにするプロセスは、ステップ513の後で実装されてよい。この時点で、ステップ513で、ハンドオーバ情報はMobility From EUTRANメッセージを介してUEに送信され、ステップ513の後で、UEは、ENBとのLTEコネクションを切断する。
【０１０２】
本発明の実施形態における組み合わせた接続は、2G/3G CSネットワークのページングメッセージを、4Gネットワーク上で送信することを可能にしてよい。端末は、2G/3Gセルでページングメッセージを受信せず、ショートメッセージは4Gネットワークを介して受信および送信され、次いで、4GネットワークのMMEが、ショートメッセージを2G/3G CSネットワークのMSCに転送する。MSCが、UEが2G/3Gセルへのアクセスを得たことを判定すると、MSCは、UEが組み合わせた接続の状態にはないものと判断する。この時点で、ショートメッセージおよび音声サービスなどは、すべて2G/3Gネットワークセルを介してUEへと送信される。UEが2G/3Gアクセスを得たことをMSCが判断するための方法は、2G/3GアクセスネットワークからのUEのメッセージを、MSCが受信することである。
【０１０３】
実施形態5
上述した方法の実施形態に対応して、本発明の実施形態は、以上の方法を実装するための端末をさらに提供する。
【０１０４】
本発明の実施形態において提供される端末は、デュアル無線(dual radio)端末であり、ここで、CSトランシーバおよびPSトランシーバは同時に配置されている。図6に示すように、端末は、
端末を4Gネットワークのセルに滞在させるように構成された滞在ユニット61と、
端末が2G/3Gネットワークおよび4Gネットワークへの組み合わせた接続を実行するように、組み合わせた接続のメッセージまたは組み合わせたロケーション更新のメッセージを、4Gネットワークのモビリティ管理エンティティMMEに送信するように構成された接続ユニット62であって、ここで、端末のCSトランシーバがオフ状態にある、接続ユニット62と、
音声サービスを実装する必要があるとき、拡張サービス要求メッセージをMMEに送信するように構成された第1の送信ユニット63であって、その結果、MMEが、4Gネットワークの基地局がCSフォールバックをトリガする必要があると命令する、第1の送信ユニット63と、
4Gネットワークの基地局によって送信された2G/3Gネットワークの測定についての通知を受信するように構成された受信ユニット64と、
通知に従って、CSトランシーバをオンにし、2G/3Gネットワークを測定するように構成された起動ユニット65と、
測定結果に従って2G/3Gネットワーク上で音声サービスを実装するように構成された音声ユニット66と
を含む。
【０１０５】
この実施形態において、音声ユニット66は、測定結果に従って2G/3Gネットワークのセルに滞在し、CS音声サービスを実装するようにとりわけ構成されており、ここで図7に示すように、音声ユニット66はさらに
測定報告を4Gネットワークの基地局に送信するように構成された第1の送信モジュール71と、
4Gネットワークの基地局によって送信された2G/3Gネットワークのターゲットセルのシステム情報を受信するように構成された第1の受信モジュール72であって、ここでターゲットセルが、測定報告に従って4Gネットワークの基地局によって選択される、第1の受信モジュール72と、
システム情報に従って2G/3Gネットワークのターゲットセルに滞在し、CS音声サービスを実装するように構成された第1の音声モジュール73と
を含むことができる。
【０１０６】
あるいは、この実施形態において、図8に示すように、音声ユニットはまた、
4Gネットワークの基地局が2G/3Gネットワークのターゲットセルを選択するよう、および4Gネットワークがデュアル無線モードのハンドオーバをトリガするように、測定報告を4Gネットワークの基地局に送信するように構成された第2の送信モジュール81(ここで、4Gネットワークがデュアル無線モードのハンドオーバを実行するプロセスについては、実施形態3のステップ408〜ステップ415への参照が行われてよく、ここではとりわけ説明しない)と、
4Gネットワークの基地局によって送信されたハンドオーバ応答メッセージを受信するように構成された第2の受信モジュール82と、
2G/3Gネットワークのターゲットセルにアクセスし、CS音声サービスを実装するように構成された第2の音声モジュール83と
を含む。
【０１０７】
あるいは、この実施形態において、図9に示すように、音声ユニットはまた、
4Gネットワークの基地局が2G/3Gネットワークのターゲットセルを選択するよう、および4GネットワークがPS to CSハンドオーバをトリガするように、測定報告を4Gネットワークの基地局に送信するように構成された第3の送信モジュール91(ここで、4GネットワークがPS to CSハンドオーバを実行するプロセスについては、実施形態4のステップ508〜ステップ514への参照が行われてよく、ここではとりわけ説明しない)と、
4Gネットワークの基地局によって送信されたハンドオーバ応答メッセージを受信するように構成された第3の受信モジュール92と、
2G/3Gネットワークのターゲットセルにアクセスし、CS音声サービスを実装するように構成された第3の音声モジュール93と
を含む。
【０１０８】
加えて、この実施形態において、端末はさらに、
無線能力情報を4Gネットワークの基地局に送信するように構成された第2の送信ユニットであって、ここで無線能力情報が、現在の端末のデュアル受信およびデュアル送信能力指示情報を含む、第2の送信ユニット、または、
ネットワーク能力情報を4Gネットワークのコアネットワークに送信するように構成された第3の送信ユニットであって、ここでネットワーク能力情報が、端末のデュアル受信およびデュアル送信能力指示情報を含み、その結果、4Gネットワークのコアネットワークが、4Gネットワークの基地局に端末のデュアル受信およびデュアル送信能力を知らせる、第3の送信ユニット
を含むことができる。
【０１０９】
本発明の実施形態において端末を使用することによるプロセスについては、方法の実施形態2、実施形態3、および実施形態4における説明への参照が行われてよく、ここではとりわけ説明しない。
【０１１０】
本発明の実施形態において音声サービスを実装するために使用される端末は、音声サービスを実装する必要がないとき、デュアルモード端末におけるPSトランシーバの動作状態を維持し、端末におけるCSトランシーバをオフにする。これにより、端末の電力消費を低減することができる。さらに、音声サービスを実装する必要があるとき、端末は2G/3Gネットワークへの組み合わせた接続を実行しており、それにより、端末は、CSドメインにおける音声サービスを完了するために、サービスのハンドオーバを迅速に完了することができる。
【０１１１】
実施形態6
図10に示すように、本発明の実施形態は、音声サービスを実装するための別の方法を提供する。方法は、以下を含む。
【０１１２】
1001:端末が、2G/3Gネットワークのセルおよび4Gネットワークのセルに同時に滞在する。
【０１１３】
1002:端末は、端末の2G/3Gネットワークおよび4Gネットワークへの組み合わせた接続を完了するために、組み合わせた接続のメッセージまたは組み合わせたロケーション更新のメッセージを、4Gネットワークのモビリティ管理エンティティMMEに送信する。
【０１１４】
2G/3Gネットワークおよび4Gネットワークへの、端末の組み合わせた接続または組み合わせたロケーション更新は、とりわけ、2G/3G回路交換CSネットワークおよび4Gネットワークへの、端末の組み合わせた接続または組み合わせたロケーション更新を指す。
【０１１５】
1003:音声サービスを実装する必要がないとき、端末は、2G/3Gネットワークのセルに滞在し続ける。
【０１１６】
1004:音声サービスを実装する必要があるとき、端末は、2G/3Gネットワークを介して音声サービスを実装する。
【０１１７】
上述した方法に対応して、この実施形態は、音声サービスを実装するための端末を提供する。端末は、デュアルモード端末である。図11に示すように、端末は、
端末を、2G/3Gネットワークのセルおよび4Gネットワークのセルに同時に滞在させるように構成された滞在ユニット111と、
端末の2G/3Gネットワークおよび4Gネットワークへの組み合わせた接続を完了するために、組み合わせた接続のメッセージまたは組み合わせたロケーション更新のメッセージを、4Gネットワークのモビリティ管理エンティティMMEに送信するように構成された接続ユニット112と、
音声サービスを実装する必要があるとき、2G/3Gネットワークを介して音声サービスを実装するように構成された音声ユニット113と
を含み、
滞在ユニット111はまた、音声サービスを実装する必要がないとき、2G/3Gネットワークのセルにおいて端末の滞在状態を維持するように構成されている。
【０１１８】
本発明のこの実施形態において提供される音声サービスを実装するための方法および端末によれば、音声サービスを実装する必要がないとき、デュアルモード端末におけるPSトランシーバは動作状態を保ち、デュアルモード端末におけるCSトランシーバはオフにされる、または静止状態にされる。これにより、音声サービスが存在しないときの端末の電力消費を低減することができる。さらに、端末は、2G/3Gネットワークへの組み合わせた接続を実行している。したがって、音声サービスを実装する必要があるとき、端末は、サービスのハンドオーバを迅速に完了することができる。本発明の実施形態において提供されるソリューションにより、端末の電力消費を低減してエネルギー節約の目的を達することができ、その上、2G/3Gネットワークにアクセスして音声サービスを実装するプロセスが固定されてよい。
【０１１９】
実施形態7
本発明の実施形態で必要とされる端末は、デュアル無線(dual radio)端末であり、すなわち、CSトランシーバ(2G/3Gトランシーバなど)およびPSトランシーバ(4Gトランシーバなど)が端末に同時に配置されている。
【０１２０】
この実施形態では、4Gネットワークの例としてLTEネットワークを取り上げる。端末におけるCSトランシーバおよびPSトランシーバは、同時にオンにされてよい。これは、デュアル無線(dual radio)能力と呼ばれてよい。
【０１２１】
図12に示すように、本発明の実施形態は、音声サービスを実装するための方法を提供する。方法は、とりわけ、以下のステップを含む。
【０１２２】
1201:端末UEが、2G/3GネットワークのセルおよびLTEネットワークのセルに同時に滞在する。
【０１２３】
端末UEの電源がオンにされた後、UEにおけるCSトランシーバおよびPSトランシーバが同時にオンにされる。この時点で、UEは、2G/3GネットワークのセルおよびLTEネットワークのセルに同時に滞在する。
【０１２４】
1202:端末UEは、2G/3GネットワークおよびLTEネットワークへの組み合わせた接続を実行する。
【０１２５】
とりわけ、UEが2G/3GネットワークおよびLTEネットワークへの組み合わせた接続を実行する前に、端末UEは、UEが滞在する2G/3Gネットワークのセルのロケーションエリア情報のLAI(Location Area Identity、ロケーションエリアアイデンティティ)を読み取ることができる。その後、端末の2G/3Gネットワークおよび4Gネットワークへの組み合わせた接続を完了するために、MMEが2G/3Gネットワークの対応する移動通信交換局MSCを選択するよう、およびMMEがロケーション更新のメッセージをMSCに送信するように、UEは、組み合わせた接続のメッセージの中にLAIを保持し、メッセージをLTEネットワークのMMEに送信する。
【０１２６】
上述した、UEがネットワークノードMMEを介して2G/3Gネットワークへの組み合わせた接続を実行するプロセスは、図13に示すように、以下を含むことができる。
【０１２７】
S11:LTEセルにおいて、UEは、組み合わせた接続のメッセージをMMEに送信する。組み合わせた接続のメッセージは、UEが現在位置する2G/3Gセルのロケーションエリア情報のLAIを保持する。
【０１２８】
2つのトランシーバが同時にオンにされることに留意されたい。したがって、UEは、2G/3GネットワークのセルおよびLTEネットワークのセルに同時に滞在し、UEが現在滞在する2G/3GネットワークのセルのLAIを取得するために、システム情報を読み取ることができる。続いて、2G/3Gセル選択または再選択によってもたらされたLAIの変更の結果、UEは、TAU(Tracking Area Update、トラッキングエリア更新)および他のメッセージ(最新のLAIを含む)を介して常にMMEに通知し、次いでMMEがMSCに通知する。概して、それにより、MMEの取得したLAIを最新のLAIとして保つことができる。これにより、UEが2G/3G CSドメインにおいて呼を実行する必要があるとき、LAU(Location Area Update、ロケーションエリア更新)またはroaming retry(ローミングエントリ)をUEが実行する必要がないことを確実にすることができる。このようにして、呼の確立所要時間が低減される。
【０１２９】
S12:LAI情報に従って、MMEは対応するMSCを選択し、SG確立メッセージまたはロケーション更新のメッセージ(Update location)を、MSCに送信する。
【０１３０】
S13:MSCは、SG確立応答メッセージまたはロケーション更新応答メッセージ(Update location ack)をMMEに返送する。
【０１３１】
S14:MMEは、接続受け入れ(attach accept)メッセージをUEに返送する。
【０１３２】
通信プロセス中にUEのロケーションが変更される場合、同時に、UEが位置する2G/3Gセルもまた、それに応じて変更される。この時点で、端末UEは、組み合わせた接続を実行する前に2G/3Gネットワークのセルを選択し、選択されたセルのLAIを読み取る。端末によって現在読み取られている2G/3Gネットワークのセルのロケーションエリア情報はまた、UEが電源をオンにしたときに登録した2G/3Gネットワークのセルのロケーションエリア情報と異なっていることがある。したがって、UEは、新しい2G/3Gセルに接続する必要がある。
【０１３３】
選択されたセルのLAIが端末の現在記憶されたLAIと異なるとき、端末の2G/3Gネットワークおよび4Gネットワークへの組み合わせた接続を完了するために、MMEが2G/3Gネットワークの対応する移動通信交換局MSCを選択するよう、およびMMEがロケーション更新のメッセージをMSCに送信するように、端末UEは、組み合わせたロケーション更新のメッセージの中に選択されたセルのLAIを保持し、メッセージをMMEに送信する。
【０１３４】
ここで、2G/3Gセル再選択プロセスについては、図14に示すように、以下を含むことができる。
【０１３５】
S15:LTEセルにおいて、UEは、組み合わせたロケーション更新のメッセージTAU(Tracking Area Update、トラッキングエリア更新)をMMEに送信し、メッセージは、UEが現在滞在する2G/3Gセルのロケーションエリア情報のLAIを保持する。
【０１３６】
S16:MMEは、LAI情報に従って対応するMSCを選択し、SG確立メッセージまたはロケーション更新のメッセージ(Update location)をMSCに送信する。
【０１３７】
S17:MSCは、SG確立応答メッセージまたはロケーション更新応答メッセージ(Update location ack)をMMEに返送する。
【０１３８】
S18:MMEは、トラッキングエリア更新受け入れ(TAU accept)メッセージをUEに返送する。
【０１３９】
1203:音声サービスを実装する必要がないとき、端末は、2G/3Gネットワークのセルに滞在し続ける。
【０１４０】
LTEページングチャネルを遮るために端末におけるPSトランシーバを使用することによって、CSページングメッセージを取得することができる。同時に、端末におけるCSトランシーバがオンにされており、2G/3Gネットワークのセルに滞在していても、それは、2G/3Gページングチャネルを遮らない、またはショートメッセージを受信および送信しない。この状態を、CSトランシーバが静止状態のままであると呼ぶことができる。
【０１４１】
このようにして、音声サービスが存在しないとき、PSトランシーバのみが通常の動作状態のままである。これにより、PSトランシーバおよびCSトランシーバがオンにされているときの電力消費を大幅に低減することができる。
【０１４２】
1204:音声サービスを実装する必要があるとき、端末は、2G/3Gネットワークを介して音声サービスを実装する。
【０１４３】
音声呼を開始するとき、UEは、2G/3Gネットワークで直接呼を開始する。CSトランシーバ、すなわち、2G/3Gトランシーバは常にオンであり、LTEネットワークを介して2G/3Gネットワークの最新のセルに接続している。したがって、UEが呼を開始するために必要とする時間は、通常のCS呼の時間と同じである。
【０１４４】
音声呼が到着すると、MSCは、ページングメッセージをMMEに送信し、次いでMMEは、UEに通知し、UEは、2G/3GネットワークのMSCに直接ページング応答を返送することができる。
【０１４５】
UEは、2G/3Gネットワークで呼および呼の応答を実装するので、MSCは、UEが引き続き2G/3Gネットワークで通常通りサービスを実装することができると判定し、2G/3Gネットワークからの、または2G/3Gネットワークに送信されたすべての後続のショートメッセージおよび音声呼は2G/3Gネットワークを介して実装され、しかしMMEによる転送はされない。すなわち、UEが音声サービスを実装するとき、UEは、その中の2G/3Gトランシーバを直接使用して、CSドメインから送信されたメッセージおよび音声ストリームを受信することができる。
【０１４６】
上述したプロセスにおいて、ユーザの移動により、UEがLTEネットワークのカバレッジエリアを離れた場合、UEは、LAU(Location Area Update、ロケーションエリア更新)メッセージをMSCに直接送信することができる。ショートメッセージおよびページングなどのすべての後続のプロセスは、2G/3Gネットワークで実装される。
【０１４７】
ユーザの移動により、UEがLTEネットワークによってカバーされないエリアから、LTEネットワークのカバレッジエリアへと移動した場合、UEは、組み合わせた接続または組み合わせたロケーション更新のプロセスを実行する。ショートメッセージおよびページングなどのすべての後続のプロセスは、LTEネットワークで実装される。または、2G/3Gネットワーク呼が終了した後で、UEは、組み合わせたロケーション更新を積極的に送信して、CSトランシーバを静止状態に戻すことができる。
【０１４８】
上述した方法の実施形態に対応して、本発明の実施形態は、端末をさらに提供する。端末は、デュアルモード端末であり、CSトランシーバおよびPSトランシーバが同時にオンにされる。図15に示すように、端末は、
端末を、2G/3Gネットワークのセルおよび4Gネットワークのセルに同時に滞在させるように構成された滞在ユニット151と、
端末の2G/3Gネットワークおよび4Gネットワークへの組み合わせた接続を完了するために、端末が、組み合わせた接続のメッセージまたは組み合わせたロケーション更新のメッセージを、4Gネットワークのモビリティ管理エンティティMMEに送信するように構成された接続ユニット152と、
音声サービスを実装する必要があるとき、2G/3Gネットワークを介して音声サービスを実装するように構成された音声ユニット153と
を含み、
滞在ユニット151はまた、音声サービスを実装する必要がないとき、2G/3Gネットワークのセルにおいて端末の滞在状態を維持するように構成されている。
【０１４９】
この実施形態において提供される端末は、さらに
端末が滞在する2G/3Gネットワークのセルのロケーションエリア情報のLAIを読み取るように構成された読み取りユニット154と、
この時点で、端末の2G/3Gネットワークおよび4Gネットワークへの組み合わせた接続を完了するために、MMEが2G/3Gネットワークの対応する移動通信交換局MSCを選択するよう、およびMMEがロケーション更新のメッセージをMSCに送信するように、組み合わせた接続のメッセージの中にLAIを保持し、メッセージをMMEに送信するようにとりわけ構成された接続ユニット152と
を含む。
【０１５０】
さらに、端末はまた、
端末に、2G/3Gネットワークのセルを選択させ、選択されたセルのLAIを読み取らせるように構成された選択ユニット155と、
選択されたセルのLAIが端末の現在記憶されたLAIと異なるとき、端末の2G/3Gネットワークおよび4Gネットワークへの組み合わせた接続を完了するために、MMEが2G/3Gネットワークの対応する移動通信交換局MSCを選択するよう、およびMMEがロケーション更新のメッセージをMSCに送信するように、組み合わせたロケーション更新のメッセージの中に選択されたセルのLAIを保持し、メッセージをMMEに送信するようにとりわけ構成された接続ユニット152と
を含む。
【０１５１】
本発明のこの実施形態において提供される音声サービスを実装するためのソリューションを使用することによって、端末における2つのトランシーバが同時にオンにされ、ここで、音声サービスを実装する必要がないとき、PSトランシーバは通常通り動作し、しかしCSトランシーバは静止状態のままである。この時点で、ショートメッセージの受信および送信を完了するためにPSトランシーバを使用すること、およびCSページングの遮断は、端末の電力消費を大幅に低減することができる。しかしながら、音声サービスを実装する必要があるときは、CSトランシーバをアクティブにして、音声サービスの通常の実装を保証し、一方で、LTE高速データサービスを保つ。本発明の実施形態におけるソリューションを使用して、ユーザが音声サービスを使用するときに高速データサービス体験を保ちながら、端末の電力消費を低減してエネルギー節約の目的を達することができる。
【０１５２】
上述した実施形態における説明に基づいて、本発明が、必要なハードウェアプラットフォームと組み合わせたソフトウェアを使用することによって実装されてよく、また確実には、本発明が全体としてハードウェアによって実装されてもよいことを、当業者は明白に理解することができる。そのような理解に基づいて、全体的または部分的に先行技術に貢献していてよい本発明における技術的なソリューションは、ソフトウェア製品の形態で具体化されてもよい。コンピュータソフトウェア製品は、ROM/RAM、磁気ディスク、およびコンパクトディスクなどの記憶媒体に記憶され、コンピュータデバイス(パーソナルコンピュータ、サーバ、ネットワークデバイスなどであってよい)に、本発明の各実施形態において提供される方法、または実施形態の特定の部分において説明される方法を実施するよう命令するためのいくつかの命令を含む。
【０１５３】
上述した説明は、本発明の特定の実施形態に過ぎず、本発明の保護範囲を限定することを意図しない。本発明の技術的範囲内で当業者が容易に考え付くいかなる変形形態または置換形態も、本発明の保護範囲内に入るものとする。したがって、本発明の保護範囲は、特許請求項の保護範囲に従うものとする。
【符号の説明】
【０１５４】
21  滞在ユニット
22  接続ユニット
23  第1の送信ユニット
24  受信ユニット
25  起動ユニット
26  音声ユニット
【図１】
2014511079.tif 000003
【図２】
2014511079.tif 000004
【図３】
2014511079.tif 000005
【図４】
2014511079.tif 000006
【図５】
2014511079.tif 000007
【図６】
2014511079.tif 000008
【図７】
2014511079.tif 000009
【図８】
2014511079.tif 000010
【図９】
2014511079.tif 000011
【図１０】
2014511079.tif 000012
【図１１】
2014511079.tif 000013
【図１２】
2014511079.tif 000014
【図１３】
2014511079.tif 000015
【図１４】
2014511079.tif 000016
【図１５】
2014511079.tif 000017
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
音声サービスを実装するための方法であって、
端末が、4Gネットワークのセルに滞在するステップと、
前記端末が、2G/3Gネットワークおよび前記4Gネットワークに接続するために、組み合わせた接続のメッセージまたは組み合わせたロケーション更新のメッセージを、前記4Gネットワークのモビリティ管理エンティティ(MME)に送信するステップであって、前記端末の回路交換(CS)トランシーバがオフ状態にある、送信するステップと、
音声サービスを実装する必要があるとき、前記端末が、拡張サービス要求メッセージを前記MMEに送信するステップであって、その結果、前記MMEが、前記4Gネットワークの基地局がCSフォールバックをトリガする必要があると命令する、送信するステップと、
前記端末が、前記4Gネットワークの前記基地局によって送信された前記2G/3Gネットワークの測定についての通知を受信するステップと、
前記端末が、前記通知に従って、前記CSトランシーバをオンにするステップ、および前記2G/3Gネットワークを測定するステップと、
前記端末が、測定結果に従って前記2G/3Gネットワーク上で前記音声サービスを実装するステップと
を含む方法。
【請求項２】
前記端末が、測定結果に従って前記2G/3Gネットワーク上で前記音声サービスを実装する前記ステップが、
前記端末が、前記測定結果に従って前記2G/3Gネットワークのセルに滞在するステップ、および前記端末が、CS音声サービスを実装するステップ
を含む、請求項1に記載の音声サービスを実装するための方法。
【請求項３】
前記端末が、前記測定結果に従って前記2G/3Gネットワークのセルに滞在する前記ステップ、および前記端末が、CS音声サービスを実装する前記ステップが、
前記端末が、測定報告を前記4Gネットワークの前記基地局に送信するステップと、
前記端末が、前記4Gネットワークの前記基地局によって送信された前記2G/3Gネットワークのターゲットセルのシステム情報を受信するステップであって、前記ターゲットセルが、前記測定報告に従って前記4Gネットワークの前記基地局によって選択される、受信するステップと、
前記端末が、前記システム情報に従って前記2G/3Gネットワークの前記ターゲットセルに滞在するステップ、および前記CS音声サービスを実装するステップと
を含む、請求項2に記載の音声サービスを実装するための方法。
【請求項４】
前記端末が、測定結果に従って前記2G/3Gネットワーク上で前記音声サービスを実装する前記ステップが、
前記端末が、測定報告を前記4Gネットワークの前記基地局に送信するステップと、
前記4Gネットワークの前記基地局が、前記測定報告に従って前記2G/3Gネットワークのターゲットセルを選択するステップ、および前記4Gネットワークの前記基地局が、ハンドオーバ要請メッセージを前記4Gネットワークの前記MMEに送信するステップであって、前記ハンドオーバ要請メッセージがデュアルトランシーバモードのハンドオーバを実行するための指示を保持する、送信するステップと、
前記MMEが、ハンドオーバ転送メッセージを前記2G/3GネットワークのサービングGPRSサポートノード(SGSN)に送信するステップであって、前記ハンドオーバ転送メッセージがデュアルトランシーバモードのハンドオーバを実行するための前記指示を保持する、送信するステップと、
前記SGSNが、ハンドオーバ要求メッセージを基地局コントローラ(BSC)または無線ネットワークコントローラ(RNC)に送信するステップであって、前記ハンドオーバ要求メッセージが、ベアラ情報を保持しない、送信するステップと、
前記BSCまたは前記RNCが、ハンドオーバ回答メッセージを前記SGSNに返送するステップと、
前記SGSNが、ハンドオーバ転送応答メッセージを前記MMEに返送するステップと、
前記MMEが、ハンドオーバ応答メッセージを前記4Gネットワークの前記基地局に送信するステップと、
前記4Gネットワークの前記基地局が、ハンドオーバ応答情報を前記端末に送信するステップと、
前記端末が、前記2G/3Gネットワークの前記ターゲットセルにアクセスするステップ、および前記端末が、CS音声サービスを実装するステップと
を含む、請求項1から3のいずれか一項に記載の音声サービスを実装するための方法。
【請求項５】
前記端末が、測定結果に従って前記2G/3Gネットワーク上で前記音声サービスを実装する前記ステップが、
前記端末が、測定報告を前記4Gネットワークの前記基地局に送信するステップと、
前記4Gネットワークの前記基地局が、前記測定報告に従って前記2G/3Gネットワークのターゲットセルを選択するステップ、および前記4Gネットワークの前記基地局が、ハンドオーバ要請メッセージを前記MMEに送信するステップと、
前記MMEが、パケット交換(PS) to CSハンドオーバメッセージを移動通信交換局(MSC)に送信するステップと、
前記MSCが、PS to CSハンドオーバ応答メッセージを前記MMEに返送するステップと、
前記MMEが、ハンドオーバ回答メッセージを前記4Gネットワークの前記基地局に送信するステップと、
前記4Gネットワークの前記基地局が、ハンドオーバ応答情報を前記端末に送信するステップと、
前記端末が、前記2G/3Gネットワークの前記ターゲットセルにアクセスするステップ、および前記端末が、CS音声サービスを実装するステップと
を含む、請求項1から3のいずれか一項に記載の音声サービスを実装するための方法。
【請求項６】
前記2G/3Gネットワークの測定についての前記通知が、前記2G/3Gネットワークのセル情報または周波数グループ情報を含み、測定ギャップ構成を含まない、請求項1から5のいずれか一項に記載の音声サービスを実装するための方法。
【請求項７】
前記端末が、前記4Gネットワークの前記基地局によって送信された前記2G/3Gネットワークの測定についての通知を受信する前記ステップの前に、前記方法が、
前記端末が、無線能力情報を前記4Gネットワークの前記基地局に送信するステップであって、前記無線能力情報が、現在の端末のデュアル受信およびデュアル送信能力指示情報を含む、送信するステップ、または、
前記端末が、ネットワーク能力情報を前記4Gネットワークのコアネットワークに送信するステップであって、前記ネットワーク能力情報が、前記端末のデュアル受信およびデュアル送信能力指示情報を含み、その結果、前記4Gネットワークの前記コアネットワークが、前記4Gネットワークの前記基地局に前記端末のデュアル受信およびデュアル送信能力を知らせる、送信するステップ
をさらに含む請求項1から6のいずれか一項に記載の音声サービスを実装するための方法。
【請求項８】
音声サービスを実装するための方法であって、
端末が、2G/3Gネットワークのセルおよび4Gネットワークのセルに同時に滞在するステップと、
前記端末の前記2G/3Gネットワークおよび前記4Gネットワークへの組み合わせた接続を完了するために、前記端末が、組み合わせた接続のメッセージまたは組み合わせたロケーション更新のメッセージを、前記4Gネットワークのモビリティ管理エンティティ(MME)に送信するステップと、
音声サービスを実装する必要がないとき、前記端末が、前記2G/3Gネットワークの前記セルに滞在し続けるステップと、
前記音声サービスを実装する必要があるとき、前記端末が、前記2G/3Gネットワークを介して前記音声サービスを実装するステップと
を含む方法。
【請求項９】
前記端末が、前記2G/3Gネットワークの前記セルに滞在する前記ステップの後、かつ前記端末の前記2G/3Gネットワークおよび前記4Gネットワークへの前記組み合わせた接続の前に、前記方法は、前記端末が、前記端末が滞在する前記2G/3Gネットワークの前記セルのロケーションエリア情報のロケーションエリアアイデンティティ(LAI)を読み取るステップをさらに含み、
前記端末の前記2G/3Gネットワークおよび前記4Gネットワークへの前記組み合わせた接続を完了するために、前記端末が、前記組み合わせた接続のメッセージを、前記4Gネットワークの前記MMEに送信する前記ステップが、
前記端末の前記2G/3Gネットワークおよび前記4Gネットワークへの前記組み合わせた接続を完了するために、前記MMEが前記2G/3Gネットワークの対応する移動通信交換局(MSC)を選択するよう、および前記MMEが前記ロケーション更新のメッセージを前記MSCに送信するように、前記端末が、前記組み合わせた接続のメッセージの中に前記LAIを保持するステップ、および前記メッセージを前記MMEに送信するステップ
を含む、請求項8に記載の音声サービスを実装するための方法。
【請求項１０】
前記端末が、前記2G/3Gネットワークの前記セルに滞在する前記ステップの後、かつ前記2G/3Gネットワークおよび前記4Gネットワークへの組み合わせた更新の前に、前記方法は、前記端末が、前記2G/3Gネットワークのセルを選択するステップ、および前記端末が、選択されたセルのLAIを読み取るステップをさらに含み、
前記端末の前記2G/3Gネットワークおよび前記4Gネットワークへの前記組み合わせた接続を完了するために、前記端末が、前記組み合わせたロケーション更新のメッセージを、前記4Gネットワークの前記MMEに送信する前記ステップが、
前記選択されたセルの前記LAIが前記端末の現在記憶されたLAIと異なるとき、前記端末の前記2G/3Gネットワークおよび前記4Gネットワークへの前記組み合わせた接続を完了するために、前記MMEが前記2G/3Gネットワークの対応する移動通信交換局MSCを選択するよう、および前記MMEが前記ロケーション更新のメッセージを前記MSCに送信するように、前記端末が、前記組み合わせたロケーション更新のメッセージの中に前記選択されたセルの前記LAIを保持するステップ、および前記メッセージを前記MMEに送信するステップ
を含む、請求項8または9に記載の音声サービスを実装するための方法。
【請求項１１】
デュアルモード端末である端末であって、
前記端末を4Gネットワークのセルに滞在させるように構成された滞在ユニットと、
前記端末が2G/3Gネットワークおよび前記4Gネットワークへの組み合わせた接続を実行するように、組み合わせた接続のメッセージまたは組み合わせたロケーション更新のメッセージを、前記4Gネットワークのモビリティ管理エンティティ(MME)に送信するように構成された接続ユニットであって、前記端末のCSトランシーバがオフ状態にある、接続ユニットと、
音声サービスを実装する必要があるとき、拡張サービス要求メッセージを前記MMEに送信するように構成された第1の送信ユニットであって、その結果、前記MMEが、前記4Gネットワークの基地局がCSフォールバックをトリガする必要があると命令する、第1の送信ユニットと、
前記4Gネットワークの前記基地局によって送信された前記2G/3Gネットワークの測定についての通知を受信するように構成された受信ユニットと、
前記通知に従って、前記CSトランシーバをオンにし、前記2G/3Gネットワークを測定するように構成された起動ユニットと、
測定結果に従って前記2G/3Gネットワーク上で前記音声サービスを実装するように構成された音声ユニットと
を含む端末。
【請求項１２】
前記音声ユニットが、前記測定結果に従って前記2G/3Gネットワークのセルに滞在し、CS音声サービスを実装するように構成されている、請求項11に記載の端末。
【請求項１３】
前記音声ユニットが、
測定報告を前記4Gネットワークの前記基地局に送信するように構成された第1の送信モジュールと、
前記4Gネットワークの前記基地局によって送信された前記2G/3Gネットワークのターゲットセルのシステム情報を受信するように構成された第1の受信モジュールであって、前記ターゲットセルが、前記測定報告に従って前記4Gネットワークの前記基地局によって選択される、第1の受信モジュールと、
前記システム情報に従って前記2G/3Gネットワークの前記ターゲットセルに滞在し、前記CS音声サービスを実装するように構成された第1の音声モジュールと
を含む、請求項12に記載の端末。
【請求項１４】
前記音声ユニットが、
前記4Gネットワークの前記基地局が前記2G/3Gネットワークのターゲットセルを選択するよう、および前記4Gネットワークがデュアル無線モードのハンドオーバをトリガするように、測定報告を前記4Gネットワークの前記基地局に送信するように構成された第2の送信モジュールと、
前記4Gネットワークの前記基地局によって送信されたハンドオーバ応答メッセージを受信するように構成された第2の受信モジュールと、
前記2G/3Gネットワークの前記ターゲットセルにアクセスし、CS音声サービスを実装するように構成された第2の音声モジュールと
を含む、請求項11から13のいずれか一項に記載の端末。
【請求項１５】
前記音声ユニットが、
前記4Gネットワークの前記基地局が前記2G/3Gネットワークのターゲットセルを選択するよう、および前記4GネットワークがPS to CSハンドオーバをトリガするように、測定報告を前記4Gネットワークの前記基地局に送信するように構成された第3の送信モジュールと、
前記4Gネットワークの前記基地局によって送信されたハンドオーバ応答メッセージを受信するように構成された第3の受信モジュールと、
前記2G/3Gネットワークの前記ターゲットセルにアクセスし、CS音声サービスを実装するように構成された第3の音声モジュールと
を含む、請求項11から13のいずれか一項に記載の端末。
【請求項１６】
無線能力情報を前記4Gネットワークの前記基地局に送信するように構成された第2の送信ユニットであって、前記無線能力情報が、現在の端末のデュアル受信およびデュアル送信能力指示情報を含む、第2の送信ユニット、または、
ネットワーク能力情報を前記4Gネットワークのコアネットワークに送信するように構成された第3の送信ユニットであって、前記ネットワーク能力情報が、前記端末のデュアル受信およびデュアル送信能力指示情報を含み、その結果、前記4Gネットワークの前記コアネットワークが、前記4Gネットワークの前記基地局に前記端末のデュアル受信およびデュアル送信能力を知らせる、第3の送信ユニット
をさらに含む請求項11から15のいずれか一項に記載の端末。
【請求項１７】
端末を、2G/3Gネットワークのセルおよび4Gネットワークのセルに同時に滞在させるように構成された滞在ユニットと、
前記端末の前記2G/3Gネットワークおよび前記4Gネットワークへの組み合わせた接続を完了するために、組み合わせた接続のメッセージまたは組み合わせたロケーション更新のメッセージを、前記4Gネットワークのモビリティ管理エンティティ(MME)に送信するように構成された接続ユニットと、
音声サービスを実装する必要があるとき、前記2G/3Gネットワークを介して前記音声サービスを実装するように構成された音声ユニットと
を含む前記端末であって、
前記音声サービスを実装する必要がないとき、前記滞在ユニットが、前記2G/3Gネットワークの前記セルにおいて前記端末の滞在状態を維持するようにさらに構成されている、
端末。
【請求項１８】
前記端末が滞在する前記2G/3Gネットワークの前記セルのロケーションエリア情報のLAIを読み取るように構成された読み取りユニット
をさらに含み、
前記端末の前記2G/3Gネットワークおよび前記4Gネットワークへの前記組み合わせた接続を完了するために、前記MMEが前記2G/3Gネットワークの対応する移動通信交換局(MSC)を選択するよう、および前記MMEが前記ロケーション更新のメッセージを前記MSCに送信するように、前記接続ユニットが、前記組み合わせた接続のメッセージの中に前記LAIを保持し、前記メッセージを前記MMEに送信するようにとりわけ構成されている、
請求項17に記載の端末。
【請求項１９】
前記端末に、前記2G/3Gネットワークのセルを選択させ、選択されたセルのLAIを読み取らせるように構成された選択ユニット
をさらに含み、
前記選択されたセルの前記LAIが前記端末の現在記憶されたLAIと異なるとき、前記端末の前記2G/3Gネットワークおよび前記4Gネットワークへの前記組み合わせた接続を完了するために、前記MMEが前記2G/3Gネットワークの対応する移動通信交換局MSCを選択するよう、および前記MMEが前記ロケーション更新のメッセージを前記MSCに送信するように、前記接続ユニットが、前記組み合わせたロケーション更新のメッセージの中に前記選択されたセルの前記LAIを保持し、前記メッセージを前記MMEに送信するようにとりわけ構成されている、
請求項17または18に記載の端末。
【手続補正２】
【補正対象書類名】明細書
【補正対象項目名】００３２
【補正方法】変更
【補正の内容】
【００３２】
301:端末(UE)が、LTEネットワークのセルに滞在する。
【手続補正３】
【補正対象書類名】明細書
【補正対象項目名】００３４
【補正方法】変更
【補正の内容】
【００３４】
303:音声サービスを実装する必要があるとき、UEは、拡張サービス要求メッセージ(extended service request)をLTEネットワークのMMEに送信し、その結果、MMEは、LTEネットワークの基地局がCSFB(Circuit Switched FallBack、CSフォールバック)プロセスをトリガする必要があると命令する。
【国際調査報告】
2014511079.tif 000018
2014511079.tif 000019
2014511079.tif 000020
2014511079.tif 000021